(57)【要約】【課題】工具を使わずに光ファイバコードの取り付け、取り外しが行え、光ファイバコードの大きさに拘わらず簡単に確実に固定する。【解決手段】溝部と凹凸部を設けた基部と、基部の両側に立設する壁部と、壁部にそれぞれ設けたスライダー案内部とを有する支持部材と、レバー部材と、レバー部材の根本部に設けた長円形状の軸孔を有する回動部と、回動部に設けた前記凹凸部と噛合する爪部とを設けて成るレバーと、レバーを回動自在に取り付けるスライダーと、スライダーの両側に設けた摺動部とを有する固定部材とを備え、支持部材と固定部材とを、溝部内に光ファイバーコードを配置した基部上に摺動部とスライダー案内部とが当接するようにスライダーを嵌入して組み付けられ、レバーの回動により爪部を凹凸部と噛合してスライダーを光ケーブルコードに押し付け、溝部内に光ケーブルコードを固定するように構成した。【選択図】      図１
2004170496.tif 000002
【特許請求の範囲】
【請求項１】
光ファイバーコードを配置する溝部を設けるとともにこの溝部の両側に該溝部に沿って凹凸部を設けた基部と、この基部の両側に立設する壁部と、これらの壁部にそれぞれ設けたスライダー案内部とを有する支持部材と、レバー部材と、このレバー部材の根本部に設けた長円形状の軸孔を有する回動部と、この回動部に設けた前記凹凸部と噛合する爪部とを設けて成るレバーと、このレバーを回動自在に取り付けるスライダーと、このスライダーの両側に設けた摺動部とを有する固定部材と
を備え、
前記支持部材と前記固定部材とは、前記溝部内に前記光ファイバーコードを配置した前記基部上に前記摺動部と前記スライダー案内部とが当接するように前記スライダーを嵌入して組み付けられ、前記レバーの回動により前記爪部を前記凹凸部と噛合して前記スライダーを前記光ケーブルコードに押し付け、前記溝部内に前記光ケーブルコードを固定するように構成されている
ことを特徴とする光ファイバーコード固定具。
【請求項２】
請求項１記載の光ファイバーコード固定具において、
前記壁部は、相互に対向する突起を設け、
前記レバーは、両側部に突起を設け、
前記レバーによる前記光ケーブルコードの固定時に、前記レバーの突起を前記壁部の突起に係止するように構成されている
ことを特徴とする光ファイバーコード固定具。
【請求項３】
請求項１記載の光ファイバーコード固定具において、
前記溝部は、前記光ファイバーコードの横断面形状より大きな横幅を有する底部と、前記光ファイバーコードの横断面形状より小さな高さを有する壁部とから成る矩形状の溝によって形成されている
ことを特徴とする光ファイバーコード固定具。
【発明の詳細な説明】
【０００１】
【発明の属する技術分野】
本発明は、光ファイバコードを収容する通信装置において用いられる光ファイバコード固定具に関する。
【０００２】
【従来の技術】
従来、光ファイバコード固定具は、光ファイバコードの固定にネジなどの締結部品を使用し、ネジを外して固定部材を分解した後、光ファイバコードを導入し、固定部材によって光ファイバコードを挟み込み、再度ネジを取り付けることによって光ファイバコードを固定するものが知られている（例えば、特許文献１参照）。
ここで使用される光ファイバコードは、コード内部にファイバーを保護する鋼線が入っている。この鋼線は光ファイバの芯線が屈曲や圧迫による破壊を防いでいる。
【０００３】
図１４および図１５は、その一例を示す。
この光ファイバコード固定具１は、光ケーブルコードＦを取り付ける三角形状の溝３を設けた固定台２と、押さえ板４と、ネジ５とで構成されている。
【特許文献１】
特開２００１−２０１６４０号公報
【０００４】
【発明が解決しようとする課題】
しかし、図１４に示す従来の光ファイバコード固定具１は、光ファイバコードＦの取り付け、取り外し時に、工具や締結部品（ネジなど）が必要で、その作業は大変煩雑である。
また、従来の光ファイバコード固定具１は、溝３に入った光ファイバコードＦを押さえ板４によって上部から押さえ付けて固定するため、溝３の大きさによって固定できる光ファイバコードＦの太さが限定される。
【０００５】
そのため、図１６に示すように、光ファイバコードＦが細いと、固定が不十分になり抜けてしまう。
また、図１７に示すように、光ファイバコードＦが太すぎると、押さえ板４が光ファイバコードＦを過剰に圧迫し、最悪の場合破損する虞がある。
本発明は斯かる従来の問題点を解決するために為されたもので、その目的は、工具を使わずに光ファイバコードの取り付け、取り外しが行えるとともに、光ファイバコードの大きさに拘わらず簡単に確実に固定することができる光ファイバコード固定具を提供することにある。
【０００６】
【課題を解決するための手段】
請求項１に係る発明は、光ファイバーコードを配置する溝部を設けるとともにこの溝部の両側に該溝部に沿って凹凸部を設けた基部と、この基部の両側に立設する壁部と、これらの壁部にそれぞれ設けたスライダー案内部とを有する支持部材と、レバー部材と、このレバー部材の根本部に設けた長円形状の軸孔を有する回動部と、この回動部に設けた前記凹凸部と噛合する爪部とを設けて成るレバーと、このレバーを回動自在に取り付けるスライダーと、このスライダーの両側に設けた摺動部とを有する固定部材とを備え、前記支持部材と前記固定部材とは、前記溝部内に前記光ファイバーコードを配置した前記基部上に前記摺動部と前記スライダー案内部とが当接するように前記スライダーを嵌入して組み付けられ、前記レバーの回動により前記爪部を前記凹凸部と噛合して前記スライダーを前記光ケーブルコードに押し付け、前記溝部内に前記光ケーブルコードを固定するように構成されていることを特徴とする。
【０００７】
請求項２に係る発明は、請求項１記載の光ファイバーコード固定具において、前記壁部は、相互に対向する突起を設け、前記レバー部材は、両側部に突起を設け、前記レバーによる前記光ケーブルコードの固定時に、前記レバーの突起を前記壁部の突起に係止するように構成されていることを特徴とする。
請求項３に係る発明は、請求項１記載の光ファイバーコード固定具において、前記溝部は、前記光ファイバーコードの横断面形状より大きな横幅を有する底部と、前記光ファイバーコードの横断面形状より小さな高さを有する壁部とから成る矩形状の溝によって形成されていることを特徴とする。
【０００８】
【発明の実施の形態】
以下、本発明を図面に示す実施形態に基づいて説明する。
図１は、本実施形態に係る光ファイバーコード固定具１０の分解斜視図である。
本実施形態に係る光ファイバーコード固定具１０は、光ファイバーコードＦを配置する溝部２２を設けた支持部材２０と、支持部材２０にレバー３１を介して固定される固定部材３０とで構成されている。
【０００９】
先ず、図１ないし図５により、支持部材２０を説明する。
支持部材２０は、光ファイバーコードＦを配置する溝部２２を設けるとともにこの溝部２２の両側に溝部２２に沿って２つの凹凸部２３を設けた平坦面から成る基部２１と、この基部２１の両側に立設する２つの断面Ｌ字型の壁部２４と、２つの断面Ｌ字型の壁部２４にそれぞれ設けた２つのスライダー案内部２５とを有する。
【００１０】
溝部２２は、基部２１の中心部に端部２１ａから端部２１ｂに亘って形成されている。溝部２２は、光ファイバーコードＦの横断面形状より大きな横幅を有する底部２２ａと、光ファイバーコードＦの横断面形状より小さな高さを有する２つの壁部２２ｂとから成る矩形状の溝によって形成されている。
基部２１には、２つの凹凸部２３とは反対側の端部２１ｂに、溝部２２の２つの壁部２２ｂの延長線上に端部が位置するように２つの断面Ｌ字型の突起２６が設けてある。この２つの断面Ｌ字型の突起２６は、それぞれ２つの断面Ｌ字型の壁部２４と繋がっている。
【００１１】
２つの断面Ｌ字型の壁部２４は、頂部２４ａが相互に対向するように突出しており、その頂部２４ａと壁部２４との間にスライダー案内部２５が設けてある。
スライダー案内部２５は、基部２１の端部２１ａから端部２１ｂに向かって下り勾配となる傾斜面２５ａを設けた断面三角形状の板状体によって形成されている。
【００１２】
２つの断面Ｌ字型の壁部２４の頂部２４ａには、２つの断面Ｌ字型の突起２６側に、相互に対向する細長形状の突起２４ｂが設けてある。
溝部２２の両側に溝部２２に沿って設けた２つの凹凸部２３は、後述するレバー３１に設けた爪部３４と係止することができるように凹凸の間隔、高さが決められている。
【００１３】
次に、図１、図６ないし図８により、固定部材３０を説明する。
固定部材３０は、レバー３１と、スライダー３６と、軸４１とで構成されている。
レバー３１は、平板形状のレバー部材３２と、このレバー部材３２の根本部に設けた長円形状の軸孔３３ａを有する２つの長円形状の回動部３３と、２つの長円形状の回動部３３の最下端部に設けた爪部３４とを有する。
【００１４】
レバー部材３２の両側には、支持部材２０の壁部２４に形成した細長形状の突起２４ｂに係止する突起３２ａが設けてある。
爪部３４は、３本の爪を有し、支持部材２０に設けた２つの凹凸部２３と噛合するようになっている。
スライダー３６は、光ファイバーコードＦを押圧、固定するコード固定部３７と、このコード固定部３７の両側に設けた２つの腕部３８とを有する。
【００１５】
コード固定部３７の下面の中央には、支持部材２０の溝部２１と同等の幅を有する凹部３７ａが端部３６ａから端部３６ｂに亘って設けてある。
２つの腕部３８の上面には、傾斜面から成る摺動部３９が設けてある。この摺動部３９は、支持部材２０と固定部材３０との組付持に支持部材２０のスライダー案内部２５に当接できるように、スライダー案内部２５と同様に、スライダー３６の端部３６ａから端部３６ｂに向かって下り勾配となる傾斜面３９ａによって形成されている。
【００１６】
コード固定部３７と２つの腕部３８との間には、レバー３１の２つの回動部３３を配置するための開口部４０が設けてある。
コード固定部３７と２つの腕部３８とには、レバー３１の２つの回動部３３に軸４１を挿通してレバー３１を回動自在に取り付けることができるように、それぞれ軸孔３７ｂ、３８ａが設けてある。
【００１７】
次に、斯くして構成された本実施形態に係る光ファイバーコード固定具１０の作用を説明する。
先ず、図１に示すように、それぞれ分解されていた各部材を組み付ける。すなわち、図９に示すように、光ファイバーコードＦを支持部材２０の溝部２１に配置し、レバー３１とスライダー３６とを軸４１を介して組み付けて固定部材３０を組み立てる。
【００１８】
次に、図１０および図１１に示すように、支持部材２０にレバー３１を上げた状態で固定部材３０を挿入する。ここで、固定部材３０は、レバー３１が上がっている状態では、爪部３４が凹凸部２３に掛からないため、固定部材３０の摺動部３９が支持部材２０のスライダー案内部２５に沿って移動し、光ファイバコードＦを押さえるまで挿入できる。
【００１９】
次に、図１１に示すように、固定部材３０の摺動部３９が支持部材２０のスライダー案内部２５に沿って奥まで挿入した後、図１２および図１３に示すように、固定部材３０のレバー３１を倒し込むと、途中から爪部３４が凹凸部２３と噛合し、スライダー３６をさらに奥まで押し込むとともに光ファイバコードＦに押し付ける。レバー３１は、突起３２ａが固定用の細長形状の突起２４ｂに引っ掛かり固定される。
【００２０】
ここで、固定部材３０のスライダー３６は光ファイバコードＦの太さによって上下するが、レバー３１の長孔３３ａによって吸収することができる。
以上によって、光ファイバコードＦの固定が完了する。
以上のように、本実施形態に係る光ファイバーコード固定具１０によれば、支持部材２０と固定部材３０とが、溝部２２内に光ファイバーコードＦを配置した基部２１上に、摺動部３９とスライダー案内部２５とが当接するようにスライダー３６を嵌入して組み付けられた後、レバー３１を回動して爪部３４を凹凸部２３と噛合してスライダー３６を光ケーブルコードＦに押し付け、溝部２２内に光ケーブルコードＦを固定するように構成されているので、工具を一切使用せずに光ケーブルコードＦを固定することができる。
【００２１】
また、本実施形態に係る光ファイバーコード固定具１０によれば、支持部材２０と固定部材３０とが、摺動部３９とスライダー案内部２５とを介して組み付けられるとともに、レバー３１の軸孔３３ａが長円形状をしているので、光ファイバコードＦの太さにバラツキがあっても、同等の保持力を確保することできる。同様に、光ファイバコードＦの厚みによりスライダー３６の位置が変化しても、スライダー３６を確実に押し下げることができる。
【００２２】
また、本実施形態に係る光ファイバーコード固定具１０によれば、光ファイバコードＦを基部２１とスライダー３６とで挟み、レバー３１の力でスライダー３６をさらに押し下げることによって光ファイバコードＦを保持する隙間を狭めて保持力を高めることができる。
また、本実施形態に係る光ファイバーコード固定具１０によれば、固定後の光ファイバコードＦを外す際に、一切工具を必要とせず、レバー３１を引き起こしてスライダー３６を引き抜くだけで光ファイバコードＦを取り外すことができる。
【００２３】
【発明の効果】
本発明によれば、光ファイバコードを取り付ける際にドライバーなどの工具が不要になる。固定時にはネジなどの締結部品を必要としないため、ネジ締めなどの作業エリアが不要となり、狭いスペースでも取り付け作業が容易に行える。光ファイバコードの固定は、挿入した固定部材のレバーを倒すだけで完了するので、誰が行っても簡単で確実に固定作業が行える。レバーの軸孔が長円形状をしているので、光ファイバコードの太さの違いに対応することができる。一度固定した光ファイバコードを外す時もレバーでロックを解除し、簡単に取り外すことができる。
【図面の簡単な説明】
【図１】本発明の実施形態に係る光ファイバーコード固定具の分解斜視図である。
【図２】図１に示す光ファイバーコード固定具に用いる支持部材の平面図である。
【図３】図２に示す支持部材の端面図である。
【図４】図２に示す支持部材の端面図である。
【図５】図２に示す支持部材の斜視図である。
【図６】図１に示す光ファイバーコード固定具に用いるレバーの斜視図である。
【図７】図６に示すレバーの側面図である。
【図８】図１に示す光ファイバーコード固定具に用いるスライダーの端面図である。
【図９】本発明の実施形態に係る光ファイバーコード固定具の分解斜視図である。
【図１０】本発明の実施形態に係る光ファイバーコード固定具を組み付けた状態を示す斜視図である。
【図１１】図１０に示す組み付け状態を示す側面図である。
【図１２】本発明の実施形態に係る光ファイバーコード固定具による光ファイバコードの固定状態を示す斜視図である。
【図１３】図１２に示す固定状態を示す側面図である。
【図１４】従来の光ファイバーコード固定具を示す分解図である。
【図１５】従来の光ファイバーコード固定具による光ファイバーコードの固定状態を示す正面図である。
【図１６】従来の光ファイバーコード固定具による光ファイバーコードの固定状態を示す正面図である。
【図１７】従来の光ファイバーコード固定具による光ファイバーコードの固定状態を示す正面図である。
【符号の説明】
Ｆ  光ファイバーコード
１０  光ファイバーコード固定具
２０  支持部材
２１  基部
２２  溝部
２３  凹凸部
２４  壁部
２５  スライダー案内部
２６  突起
３０  固定部材
３１  レバー
３２  レバー部材
３３  回動部
３３ａ、３７ｂ、３８ａ  軸孔
３４  爪部
３６  スライダー
３７  コード固定部
３８  腕部
３９  摺動部
４０  開口部
４１  軸
【図１】
2004170496.tif 000003
【図２】
2004170496.tif 000004
【図３】
2004170496.tif 000005
【図４】
2004170496.tif 000006
【図５】
2004170496.tif 000007
【図６】
2004170496.tif 000008
【図７】
2004170496.tif 000009
【図８】
2004170496.tif 000010
【図９】
2004170496.tif 000011
【図１０】
2004170496.tif 000012
【図１１】
2004170496.tif 000013
【図１２】
2004170496.tif 000014
【図１３】
2004170496.tif 000015
【図１４】
2004170496.tif 000016
【図１５】
2004170496.tif 000017
【図１６】
2004170496.tif 000018
【図１７】
2004170496.tif 000019